(57)【要約】      （修正有）【課題】打楽器及び吹奏楽器としての機能を合わせ持ち、片手で打撃音及び笛音を発するための操作ができる小型且つ軽量の楽器を提供する。【解決手段】本考案の楽器１は、第１打片部２と、第１打片部２と対向する第２打片部３と、第１打片部２と第２打片部３とを開閉可能に連結する結合部材５と、第２打片部３と一体化された笛部４とを有しており、笛部４は、結合部材５を使用者の中指に固定したときに、同じ手の人差し指と親指の間から突出するような位置関係となるように、第２打片部３から延出されている。【選択図】図１
0003204070.tif 000002
【実用新案登録請求の範囲】
【請求項１】
第１打片部と、
前記第１打片部と対向する第２打片部と、
前記第１打片部と前記第２打片部とを開閉可能に連結する結合部材と、
前記第２打片部と一体化された笛部と、を有し、
前記笛部は、前記結合部材を使用者の中指に固定したときに、同じ手の人差し指と親指の間から突出するような位置関係となるように、前記第２打片部から延出されている
楽器。
【請求項２】
前記第１打片部の前記第２打片部と対向する主面には窪み部が形成され、他主面は球面状に構成されており、前記第２打片部の前記第１打片部と対向する主面には窪み部が形成され、他主面は球面状に構成されており、
前記第１打片部の前記結合部材により前記第２打片部と連結される部分は所定の角度で傾斜した傾斜面となっており、使用者により力が加えられていない状態では、前記第１打片部及び前記第２打片部の対向する主面同士が開口状態となる
請求項１に記載の楽器。
【請求項３】
前記結合部材はゴム紐である
請求項２に記載の楽器。
【請求項４】
前記笛部は、吹き口、空洞部、及び空気口とからなり、前記吹き口より空気を吹き込むと前記空洞部に滞留し、前記空気口から排出される過程で笛音を発する
請求項３に記載の楽器。
【請求項５】
前記第１打片部及び第２打片部の直径は７ｃｍから８ｃｍであり、
前記笛部は、前記第２打片部から延出する長さが３ｃｍから５ｃｍである
請求項４に記載の楽器。
【考案の詳細な説明】
【技術分野】
【０００１】
本考案は、スポーツ観戦等において応援等に使用する楽器であって、打楽器及び吹奏楽器としての機能を併せ持った楽器に関する。
【背景技術】
【０００２】
従来、スポーツ観戦等においては、各種楽器を用いて応援がなされている。そして、今日では、応援用途に複数の機能を併せ持った製品も提案されている。
【０００３】
例えば、特許文献１では、楽器付きメガホンが開示されている。この楽器付きメガホンでは、メガホン本体の周面部２箇所に、カスタネットが付けられている。
【先行技術文献】
【特許文献】
【０００４】
【特許文献１】実開平４−０５９８９６号公報
【考案の概要】
【考案が解決しようとする課題】
【０００５】
しかしながら、特許文献１に開示されたものでは、片手でメガホンを保持する必要があるので、カスタネットによる衝撃音を発生させるためには、必ずもう片方の手で操作する必要があり、片手での操作は実現されていなかった。更に、ホイッスルのように応援に好適な笛音を発することはできなかった。
【０００６】
しかるに、打楽器による衝撃音とホイッスルによる笛音は、スポーツ観戦等における応援に好適な音であるが、それらを１台で選択的又は同時に発することができる楽器は、未だ実現されておらず、スポーツ観戦時等、激しい動作を伴うときに、応援者が片手で簡易に操作ができる構成の実現が嘱望される。
【０００７】
本考案は、このような課題に鑑みてなされたものであり、打楽器及び吹奏楽器としての機能を合わせ持ち、片手で打撃音及び笛音を発するための操作ができる小型且つ軽量の楽器を提供することを目的とする。
【課題を解決するための手段】
【０００８】
上記課題を解決するため、本考案の第１の態様に係る楽器は、第１打片部と、前記第１打片部と対向する第２打片部と、前記第１打片部と前記第２打片部とを開閉可能に連結する結合部材と、前記第２打片部と一体化された笛部と、を有し、前記笛部は、前記結合部材を使用者の中指に固定したときに、同じ手の人差し指と親指の間から突出するような位置関係となるように、前記第２打片部から延出されている。
【０００９】
本考案の第２の態様に係る楽器は、第１の態様において、前記第１打片部の前記第２打片部と対向する主面には窪み部が形成され、他主面は球面状に構成されており、前記第２打片部の前記第１打片部と対向する主面には窪み部が形成され、他主面は球面状に構成されており、前記第１打片部の前記結合部材により前記第２打片部と連結される部分は所定の角度で傾斜した傾斜面となっており、使用者により力が加えられていない状態では、前記第１打片部及び前記第２打片部の対向する主面同士が開口状態となる。
【００１０】
本考案の第３の態様に係る楽器は、第２の態様において、前記結合部材はゴム紐である。
【００１１】
本考案の第４の態様に係る楽器は、第３の態様において、前記笛部は、吹き口、空洞部及び空気口とからなり、前記吹き口より空気を吹き込むと前記空洞部に滞留し、前記空気口から排出される過程で笛音を発する。
【００１２】
本考案の第５の態様に係る楽器は、第４の態様において、前記第１打片部及び第２打片部の直径は７ｃｍから８ｃｍであり、前記笛部は、前記第２打片部から延出する長さが３ｃｍから５ｃｍである。
【考案の効果】
【００１３】
本考案によれば、打楽器及び吹奏楽器としての機能を合わせ持ち、片手で打撃音及び笛音を発するための操作ができる小型且つ軽量の楽器を提供することができる。
【図面の簡単な説明】
【００１４】
【図１】本考案の一実施形態に係る楽器の構成図である。
【図２】笛部の断面図、及び楽器の平面図である。
【図３】同楽器を開いた状態を示す斜視図である。
【図４】同楽器の側面図である。
【図５】（ａ）及び（ｂ）は同楽器の使用状態説明図である。
【考案を実施するための形態】
【００１５】
以下、図面を参照しつつ本考案の実施形態について説明する。
【００１６】
図１には、本考案の一実施形態に係る楽器の構成を示し説明する。
【００１７】
同図に示されるように、楽器１は、第１打片部２と、第１打片部２と対向する第２打片部３と、第１打片部２と第２打片部３とを開閉可能に連結する結合部材５と、第２打片部３と一体化された笛部４と、を有する。第１打片部２は、第２打片部３と対向する側の主面が平坦で中央部に窪み部を有しており、他方の主面は球面状となっている。第２打片部３は、第１打片部２と対向する側の主面が平坦で中央部に窪み部を有しており、他方の主面は球面状となっている。第１打片部２、第２打片部３は、いずれも盤状に構成されている。第２打片部３の第１打片部２と対向する側の面上であって、結合部材５により結合された側とは反対側の端には、凸部３ｂが設けられている。この凸部３ｂは、第１打片部２に打ち付けられたときに打撃音を発するためのものである。打撃音は、前述した各打片部２，３の窪み部において反響してその大きさを増大させる。
【００１８】
笛部４は、結合部材５を使用者の中指に固定したときに、同じ手の人差し指と親指の間から突出するような位置関係となるように、第２打片部３から延出されている。笛部４の構成については、図２で後に詳述する。
【００１９】
結合部材５としては、ゴム紐等を用いることができる。
【００２０】
ここで、図２には笛部４の断面図、及び楽器１の平面図を示し、第２打片部３と笛部４との位置関係について更に詳細に説明する。
【００２１】
図２の左方に示されるように、笛部４は、吹き口４ａ、空洞部４ｂ、及び空気口４ｃとからなり、吹き口４ａより空気を吹き込むと空洞部４ｂに滞留し、空気口４ｃから排出される過程で笛音を発するような構成となっている。
【００２２】
図２の右方に示されるように、笛部４は、第１打片部２と第２打片部３とを連結する結合部材５を第２打片部３の側で使用者の中指に固定したときに、使用者の同じ手の人差し指と親指の間から突出するような位置関係となるように、第２打片部３から延出されているように構成されている。
【００２３】
より詳細には、笛部４は、結合部材５に挿入される中指の長手方向の方向線に対して６０度乃至９０度の角度となるように第２打片部３から外側に向けて突出するように構成されている。この笛部４は、第２打片部３と一体成型されてもよく、別部品として生成され他後、第２打片部３に接合されようにしてもよい。
【００２４】
各部のサイズについては、第１打片部２及び第２打片部３の直径は７ｃｍから８ｃｍであり、厚さは最大の部分で２ｃｍから３ｃｍである。一方、笛部４は、第２打片部３から延出する長さが３ｃｍから５ｃｍであり、吹き口が形成された先端部の幅は１ｃｍから２ｃｍであり、厚さは５ｍｍから１ｃｍである。但し、これらサイズは一例であって、これに限定されないことは勿論である。
【００２５】
次に、図３には同楽器を開いた状態を斜視図で示し説明する。
【００２６】
同図に示されるように、第１打片部２の第２打片部３と対向する主面には窪み部２ａが形成され、他主面は球面状に構成されており、第２打片部３の第１打片部２と対向する主面には窪み部３ａが形成され、他主面は球面状に構成されている。また、第２打片部３の結合部材により第１打片部２と連結された位置と対向する端には、打ち付けのための凸部３ｂが形成されている。従って、凸部３ｂが第１打片部２に打ち付けられると、打撃音が発生し、打撃音は、両打片部２，３の内面に形成された窪み部２ａ，３ａにより構成される空間で反響し、その大きさを増大させる。
【００２７】
図４には同楽器の側面図を示し説明する。
【００２８】
同図に示されるように、第１打片部２の結合部材５により第２打片部３と連結される部分は所定の角度で傾斜した傾斜面となっており、使用者により力が加えられていない状態では、第１打片部２及び第２打片部３の対向する主面同士が開口状態となるように構成されている。
【００２９】
図５（ａ）及び図５（ｂ）には、同楽器の使用状態を示し説明する。
【００３０】
図５（ａ）は楽器１を左手の手の平に載せた様子を示しており、左手の長指は結合部材５により形成された輪に挿入されている。従って、楽器１は、結合部材５の作用により手の平にしっかりと位置決めされる。また、このように位置決めされたとき、笛部４は、人差し指と親指の間から外部に突出するような位置関係となる。このように手の平に載せた状態のまま、中指や薬指で第１打片部２を押す込むことで、打撃音を簡単に発生させることができる。
【００３１】
また、図５（ｂ）は楽器１の笛部４を活用する様子を示しており、前述したように笛部４は外部に突出しているので、楽器１の持ち方を変えることなく、吹き口の形成された先端を口で咥えて息を吹き込むだけで、笛音が発生することになる。
【００３２】
以上説明したように、本考案の一実施形態に係る楽器によれば、片手でリズミカルな打撃音と、笛音を同時に又は選択的に発生させることができるので、スポーツ観戦等において応援する場面での使用に好適である。
【００３３】
以上、本考案の一実施形態について説明したが、本考案はこれに限定されることなくその趣旨を逸脱しない範囲で種々の改良・変更が可能であることは勿論である。
【００３４】
例えば、笛部に開口部を設けて、楽器を持っている手の親指で開口部を開閉して、笛部の空気口から排出される空気量を調整することで、笛部の笛音の音色を変更できるように構成してもよいことは勿論である。また、本楽器の材質は、木製、樹脂製のいずれであってもよく、プラスチック成型により実現される場合には、打片部と笛部は一体成型させてもよく、別体として成形されて、結合されてもよい。
【符号の説明】
【００３５】
１  楽器
２  第１打片部
２ａ  窪み部
３  第２打片部
３ａ  窪み部
３ｂ  凸部
４  笛部
４ａ  吹き口
４ｂ  空洞
４ｃ  空気口
５  結合部材。
【図１】
0003204070.tif 000003
【図２】
0003204070.tif 000004
【図３】
0003204070.tif 000005
【図４】
0003204070.tif 000006
【図５】
0003204070.tif 000007